(57)【要約】【課題】  尾錠に係止体を装着し、当該係止体に掛止具の掛止部を掛止させることにより、ベルトを傷めることがなくベルト同士を連結することができるベルト用留め具を提供する。【解決手段】  ベルト用留め具Ａは、尾錠１と掛止具６とからなる。尾錠１は、枠部材２と、枠部材２に設けられた連結軸３と、連結軸３に回動可能に取り付けられた係合軸５とからなり、一方のベルトＢ１を、枠部材２の一側２ａ下方から連結軸３上部を経て枠部材２の他側２ｂ下方に挿通し、一方のベルトＢ１に形成された穴Ｂ３に係合軸５を係合することによって一方のベルトＢ１に取り付けられる。掛止具６は、尾錠１に掛止可能な掛止部８を備え、他方のベルトＢ２に取り付けられる。尾錠１の連結軸３には、係止体１０が取り付けられている。係止体１０は、掛止具６の掛止部８を係止させる係止片１１を備えている。【選択図】        図４
2012034904.tif 000002
【特許請求の範囲】
【請求項１】
枠部材と、枠部材に設けられた連結軸と、連結軸に回動可能に取り付けられた係合軸とからなり、一方のベルトを、枠部材の一側下方から連結軸上部を経て枠部材の他側下方に挿通し、当該一方のベルトに形成された穴に前記係合軸を係合することによって一方のベルトに取り付けられる尾錠と、
前記尾錠に掛止可能な掛止部を備え、他方のベルトに取り付けられる掛止具とからなるベルト用留め具であって、
前記尾錠の連結軸には、係止体が取り付けられ、
前記係止体は、前記掛止具の掛止部を係止させる係止片を備えていることを特徴とするベルト用留め具。
【請求項２】
前記係止体は、前記尾錠の連結軸に回動可能に取り付けられ、尾錠に挿通された前記一方のベルトに当接して係止片の回転を規制する規制部を備えていることを特徴とする請求項１記載のベルト用留め具。
【請求項３】
枠部材と、枠部材に設けられた連結軸と、連結軸に回動可能に取り付けられた係合軸とからなり、一方のベルトを、枠部材の一側下方から連結軸上部を経て枠部材の他側下方に挿通し、当該一方のベルトに形成された穴に前記係合軸を係合することによって一方のベルトに取り付けられる尾錠と、
前記尾錠に掛止可能な掛止部を備え、他方のベルトに取り付けられる掛止具とからなるベルト用留め具に取り付けられる係止体であって、
前記尾錠の連結軸に取り付けられ、前記掛止具の掛止部を係止させる係止片が形成されていることを特徴とする係止体。
【請求項４】
前記尾錠の連結軸に回動可能に取り付けられ、
連結軸を挟んで一方には、前記掛止具の掛止部を係止させる係止片が形成され、
連結軸を挟んで他方には、尾錠に挿通された前記一方のベルトに当接して係止片の回転を規制する規制部が形成されていることを特徴とする請求項３記載の係止体。
【発明の詳細な説明】
【技術分野】
【０００１】
本願発明は、靴、鞄、衣服、時計等に用いられるベルト用留め具及びベルト用留め具に取り付けられる係止体に関する。
【背景技術】
【０００２】
従来のベルト用留め具は、一方のベルトに取り付けられる尾錠と、他方のベルトに取り付けられる掛止具とからなる。尾錠は、枠部材と、枠部材に設けられた連結軸と、連結軸に回動可能に取り付けられた係合軸とからなる。尾錠は、前記一方のベルトを、枠部材の一側下方から連結軸上部を経て枠部材の他側下方に挿通し、一方のベルトに形成された穴に前記係合軸を係合することによって一方のベルトに取り付けられる。掛止具は、前記尾錠に掛止可能な掛止部を備え、他方のベルトに取り付けられる（例えば、特許文献１）。
【先行技術文献】
【特許文献】
【０００３】
【特許文献１】実開昭５９−１２３４０９号公報
【発明の概要】
【発明が解決しようとする課題】
【０００４】
上記従来のベルト用留め具は、他方のベルトに取り付けられた掛止具の掛止部を、一方のベルトに掛止すると、掛止具が一方のベルトに沿ってスライドして尾錠に係合し、一方のベルトと他方のベルトを連結することができる。従って、従来のベルト用留め具は、掛止具の掛止部を一方のベルトに掛止させるので、ベルトを傷めてしまうという問題点があった。また、従来のベルト用留め具は、掛止具の掛止部を一方のベルトに掛止させるので、掛止具が外から見えてしまい、外観を損なうという問題点があった。
【０００５】
本願発明は、上記従来の問題点に鑑み案出したものであって、尾錠自体に係止体を装着し、当該係止体に掛止具の掛止部を掛止させることにより、ベルトを傷めることがなく、また、掛止具の掛止時に、掛止具が外側から見え難くなり、外観を損なうことなく、一方のベルトと他方のベルトを連結することができるベルト用留め具及び係止体を提供することを目的とする。
【課題を解決するための手段】
【０００６】
本願請求項１記載のベルト用留め具は、上記目的を達成するため、枠部材と、枠部材に設けられた連結軸と、連結軸に回動可能に取り付けられた係合軸とからなり、一方のベルトを、枠部材の一側下方から連結軸上部を経て枠部材の他側下方に挿通し、当該一方のベルトに形成された穴に前記係合軸を係合することによって一方のベルトに取り付けられる尾錠と、前記尾錠に掛止可能な掛止部を備え、他方のベルトに取り付けられる掛止具とからなるベルト用留め具であって、前記尾錠の連結軸には、係止体が取り付けられ、前記係止体は、前記掛止具の掛止部を係止させる係止片を備えていることを特徴とする。
【０００７】
本願請求項２記載のベルト用留め具は、上記目的を達成するため、前記係止体は、前記尾錠の連結軸に回動可能に取り付けられ、尾錠に挿通された前記一方のベルトに当接して係止片の回転を規制する規制部を備えていることを特徴とする。
【０００８】
本願請求項３記載の係止体は、上記目的を達成するため、枠部材と、枠部材に設けられた連結軸と、連結軸に回動可能に取り付けられた係合軸とからなり、一方のベルトを、枠部材の一側下方から連結軸上部を経て枠部材の他側下方に挿通し、当該一方のベルトに形成された穴に前記係合軸を係合することによって一方のベルトに取り付けられる尾錠と、前記尾錠に掛止可能な掛止部を備え、他方のベルトに取り付けられる掛止具とからなるベルト用留め具に取り付けられる係止体であって、前記尾錠の連結軸に取り付けられ、前記掛止具の掛止部を係止させる係止片が形成されていることを特徴とする。
【０００９】
本願請求項４記載の係止体は、上記目的を達成するため、前記尾錠の連結軸に回動可能に取り付けられ、連結軸を挟んで一方には、前記掛止具の掛止部を係止させる係止片が形成され、連結軸を挟んで他方には、尾錠に挿通された前記一方のベルトに当接して係止片の回転を規制する規制部が形成されていることを特徴とする。
【発明の効果】
【００１０】
本願発明に係るベルト用留め具は、枠部材と、枠部材に設けられた連結軸と、連結軸に回動可能に取り付けられた係合軸とからなり、一方のベルトを、枠部材の一側下方から連結軸上部を経て枠部材の他側下方に挿通し、当該一方のベルトに形成された穴に前記係合軸を係合することによって一方のベルトに取り付けられる尾錠と、前記尾錠に掛止可能な掛止部を備え、他方のベルトに取り付けられる掛止具とからなる。前記尾錠の連結軸には、係止体が取り付けられ、係止体は、前記掛止具の掛止部を係止させる係止片を備えている。本願発明に係るベルト用留め具は、掛止具の掛止部をベルトに掛止させるのではなく、係止体の係止片に掛止させるので、ベルトを傷めることがないという効果がある。また、本願発明に係るベルト用留め具は、掛止具の掛止部をベルトに掛止させるのではなく、係止体の係止片に掛止させるので、掛止具の掛止時に、掛止具が外側から見え難くなり、外観を損なうことなく、一方のベルトと他方のベルトを連結することができるという効果がある。さらに、本願発明に係るベルト用留め具は、従来からある尾錠に係止体を取り付けるだけで簡単に製造することができるので、安価であるという効果がある。
【００１１】
本願発明に係るベルト用留め具は、上記構成に加え、前記係止体は、前記尾錠の連結軸に回動可能に取り付けられ、尾錠に挿通された前記一方のベルトに当接して係止片の回転を規制する規制部を備えている。本願発明に係るベルト用留め具は、係止体の規制部が尾錠に挿通された一方のベルトに当接するので係止片の回転が阻止される。そのため、他方のベルトに取り付けられた掛止具の掛止部を係止片に安定して係止させることができるという効果がある。
【００１２】
本願発明に係る係止体は、枠部材と、枠部材に設けられた連結軸と、連結軸に回動可能に取り付けられた係合軸とからなり、一方のベルトを、枠部材の一側下方から連結軸上部を経て枠部材の他側下方に挿通し、当該一方のベルトに形成された穴に前記係合軸を係合することによって一方のベルトに取り付けられる尾錠と、前記尾錠に掛止可能な掛止部を備え、他方のベルトに取り付けられる掛止具とからなるベルト用留め具に取り付けられる。本願発明に係る係止体は、前記尾錠の連結軸に取り付けられ、前記掛止具の掛止部を係止させる係止片が形成されている。本願発明に係る係止体は、従来からある尾錠に簡単に取り付けることができるという効果がある。また、本願発明に係る係止体は、掛止具の掛止部をベルトに掛止させるのではなく、係止片に掛止させるので、ベルトを傷めることがないという効果がある。さらにまた、本願発明に係る係止体は、掛止具の掛止部をベルトに掛止させるのではなく、係止片に掛止させるので、掛止具の掛止時に、掛止具が外側から見え難くなり、外観を損なうことなく、一方のベルトと他方のベルトを連結することができるという効果がある。
【００１３】
本願発明に係る係止体は、上記構成に加え、前記尾錠の連結軸に回動可能に取り付けられ、連結軸を挟んで一方には、前記掛止具の掛止部を係止させる係止片が形成され、連結軸を挟んで他方には、尾錠に挿通された前記一方のベルトに当接して係止片の回転を規制する規制部が形成されている。本願発明に係る係止体は、従来からある尾錠に簡単に取り付けることができ、規制部が尾錠に挿通された一方のベルトに当接するので係止片の回転が阻止される。そのため、他方のベルトに取り付けられた掛止具の掛止部を係止片に安定して係止させることができるという効果がある。
【図面の簡単な説明】
【００１４】
【図１】本願発明に係るベルト用留め具の一つの実施の形態を示す説明図であって、（ａ）が尾錠の上面図、（ｂ）が尾錠の下面図、（ｃ）が尾錠の側面断面図である。
【図２】本願発明に係る係止体の一つの実施の形態を示す説明図であって、（ａ）が上面図、（ｂ）が下面図、（ｃ）が側面図である。
【図３】掛止具の説明図であって、（ａ）が側面図、（ｂ）が平面図である。
【図４】図１のベルト用留め具の使用形態を示す断面図である。
【図５】図１の尾錠を上方から視た斜視図である。
【図６】図１の尾錠を下方から視た斜視図である。
【図７】図１の尾錠をベルトに装着した斜視図である。
【図８】図１の尾錠をベルトに装着した平面図である。
【図９】図１の尾錠をベルトに装着した側面図である。
【図１０】図１のベルト用留め具の実際の使用形態を示す要部斜視図である。
【図１１】図４に対応するベルト用留め具の実際の使用形態を示す側面図である。
【図１２】本願発明に係るベルト用留め具の実際の使用形態を示す全体斜視図である。
【発明を実施するための形態】
【００１５】
図４，１１に示すように、ベルト用留め具Ａは、尾錠１と掛止具６とからなる。図１，５に示すように、尾錠１は、枠部材２と、枠部材２に設けられた連結軸３と、連結軸３に回動可能に取り付けられた係合軸５とからなる。図４に示すように、尾錠１は、一方のベルトＢ１を、枠部材２の一側２ａ下方から連結軸３上部を経て枠部材２の他側２ｂ下方に挿通し、当該一方のベルトＢ１に形成された穴Ｂ３に前記係合軸５を係合することによって一方のベルトＢ１に取り付けられる。図３，４に示すように、掛止具６は、前記尾錠１に掛止可能な掛止部８を備え、他方のベルトＢ２に取り付けられる。図１に示すように、前記尾錠１の連結軸３には、係止体１０が取り付けられている。図２，図４に示すように、係止体１０は、前記掛止具６の掛止部８を係止させる係止片１１を備えている。
【００１６】
ベルト用留め具Ａは、掛止具６の掛止部８をベルトＢ１に掛止させるのではなく、係止体１０の係止片１１に掛止させるので、ベルトを傷めることがない。また、ベルト用留め具Ａは、掛止具６の掛止部８をベルトＢ１に掛止するのではなく、係止体１０の係止片１１に掛止させるので、掛止具６の掛止時に、掛止具６が外側から見え難くなり、外観を損なうことなく、一方のベルトＢ１と他方のベルトＢ２を連結することができる。さらに、ベルト用留め具Ａは、従来からある尾錠１に係止体１０を取り付けるだけで簡単に製造することができるので、安価である。
【００１７】
図１に示すように、係止体１０は、前記尾錠１の連結軸３に回動可能に取り付けられている。図２，図４に示すように、係止体１０は、前記掛止具６の掛止部８を係止させる係止片１１と、尾錠１に挿通された前記一方のベルトＢ１に当接して係止片１１の回転を規制する規制部１２を備えている。ベルト用留め具Ａは、係止体１０の規制部１２が尾錠１に挿通された一方のベルトＢ１に当接するので係止片１１の回転が阻止（規制）される。そのため、他方のベルトＢ２に取り付けられた掛止具６の掛止部８を係止片１１に安定して係止させることができる。
【００１８】
図１，図４に示すように、係止体１０は、前記ベルト用留め具Ａに取り付けられるものであって、前記尾錠１の連結軸３に取り付けられる。係止体１０は、前記掛止具６の掛止部８を係止させる係止片１１が形成されている。このように、係止体１０は、従来からある尾錠１に簡単に取り付けることができる。また、係止体１０は、掛止具６の掛止部８をベルトＢ１に掛止させるのではなく、係止片１１に掛止させるので、ベルトＢ１を傷めることがない。さらにまた、係止体１０は、掛止具６の掛止部８をベルトＢ１に掛止させるのではなく、係止片１１に掛止させるので、掛止具６の掛止時に、掛止具６が外側から見え難くなり、外観を損なうことなく、一方のベルトＢ１と他方のベルトＢ２を連結することができる。
【００１９】
図１，図４に示すように、係止体１０は、前記尾錠１の連結軸３に回動可能に取り付けられる。係止体１０は、連結軸３を挟んで一方には、前記掛止具６の掛止部８を係止させる係止片１１が形成され、連結軸３を挟んで他方には、尾錠１に挿通された前記一方のベルトＢ１に当接して係止片１１の回転を規制する規制部１２が形成されている。係止体１０は、規制部１２が尾錠１に挿通された一方のベルトＢ１に当接するので係止片１１の回転が阻止される。そのため、係止体１０は、他方のベルトＢ２に取り付けられた掛止具６の掛止部８を係止片１１に安定して係止させることができる。
【００２０】
さらに、ベルト用留め具について詳細に説明する。ベルト用留め具Ａは、尾錠１と掛止具６とから構成されている。図１に示すように、尾錠１は、枠部材２と、枠部材２に設けられた連結軸３と、連結軸３に回動可能に取り付けられた係合軸５とからなる。図５，６に示すように、枠部材２は、略矩形状に形成され、長手方向の略中間部に連結軸３が形成されている。枠部材２は、連結軸３によって内部空間が仕切られており、第１の空間部２
ａと第２の空間部２ｂが形成されている。枠部材２と連結軸３は、プレス加工により打ち抜かれて一体形成されているが、溶接等により固着するようにしても構わない。係合軸５は、後部５ａが環状に折り曲げられて連結軸３に回動可能に取り付けられ、先部５ｂが枠部材２の長手方向の一側に係合するようになっている。
【００２１】
図３に示すように、掛止具６は、板状に形成され、軸状の基部７と、略Ｌ字状に形成された掛止部８と、基部７の中間部と掛止部８の一端８ａを接続する屈曲部９とで構成され、掛止部８の他端８ｂに係合凸部８ｃが形成されている。
【００２２】
図１、２に示すように、係止体１０は、前記尾錠１の連結軸３に回動可能に取り付けられる。係止体１０は、前記掛止具６の掛止部８を係止させる係止片１１と、尾錠１に挿通されたベルトに当接して係止片１１の回転を規制（阻止）する規制片（規制部）１２と、連結軸３に回動可能に取り付けられる軸受け片１３ａ，１３ｂを備えている。即ち、係止体１０は、略矩形板状の１枚の金属板によって形成され、長手方向の一方側の略半分１５が平板状の規制片（規制部）１２を構成し、長手方向の他方側の略半分１６が係止片１１と軸受け片１３ａ，１３ｂを構成する。
【００２３】
他方側の略半分１６は、長手方向に伸びる一対の切れ目１６ａ，１６ｂによって、３分割される。他方側の略半分１６は、一対の切れ目１６ａ，１６ｂ間に係止片１１が形成され、係止片１１を挟んだ両側に軸受け片１３ａ，１３ｂが形成される。係止片１１は、頂部が下方（枠部材２から離れる方）に突出するようにして略Ｖ字状に屈曲され、尾錠１に挿通された一方のベルトＢ１と係止片１１の間にスペース１８を形成する（図４参照）。なお、係止片１１は、尾錠１に挿通された一方のベルトＢ１と係止片１１の間にスペース１８を形成すれば良いので、略Ｖ字状ではなく、略半円状に湾曲させても良く、特に形状に限定されるものではない。軸受け片１３ａ，１３ｂは、上方に突出するようにして略Ｕ字状に折曲され、軸受け部１９ａ，１９ｂを形成する。即ち、係止体１０は、軸受け片１３ａ，１３ｂを略Ｕ字状に折曲して連結軸３を内側に取り込み、軸受け片１３ａ，１３ｂによって形成される軸受け部１９ａ，１９ｂに連結軸３を挿通するようにして尾錠１の連結軸３に回動可能に取り付けられている。
【００２４】
ベルト用留め具Ａは、以下のようにしてベルトに取り付けられる。図４に示すように、尾錠１は、一方のベルトＢ１を、枠部材２の下方から上方へ第１の空間部２ａに挿通し、一方のベルトＢ１に形成された穴Ｂ３に枠部材２の係合軸５を係合してから、連結軸３上部を通過させ、さらに、枠部材２の上方から下方へ第２の空間部２ｂに挿通することによって一方のベルトＢ１に取り付けられる。尾錠１に回動可能に設けられた係止体１０は、規制片（規制部）１２が尾錠１に挿通された一方のベルトＢ１に対して当接可能となり、係止片１１の先部１１ａも一方のベルトＢ１に当接可能となるので、回転が規制（阻止）される（図７〜９参照）。本実施の形態では、規制部１２は、板状に形成されているが、一方のベルトＢ１に当接して係止体１０の回転を規制（阻止）すれば良いので、特に板状に限定されるものではなく、突起等であっても構わない。なお、係止体１０は、係止片１１に掛止具６の掛止部８を係止させることができれば良いので、規制片（規制部）１２を備えていなくても構わない。
【００２５】
図４，１０に示すように、掛止具６は、軸状の基部７が他方のベルトＢ２に取り付けられ、略Ｌ字状に形成された掛止部８が他方のベルトＢ２の先端から突出する。前述したように係止体１０は、一方のベルトＢ１に回動不能に取り付けられているので、図１１に示すように、他方のベルトＢ２に取り付けられた掛止具６の掛止部８を係止片１１に安定して係止させることができる。即ち、掛止具６の掛止部８を係止体１０の係止片１１に掛止させた状態で、ベルトＢ２に引っ張り力が加わっても、係止体１０は、規制片（規制手段）１２がベルトＢ１に当接するので回動が規制（阻止）され、掛止具６の掛止部８が係止片１１から簡単に外れることがない。なお、前述したように、係止体１０は、規制片（規制部）１２を備えていなくても、掛止具６の掛止部８を係止片１１に係止させることができる。また、係止片１１は、略Ｖ字状に屈曲され、尾錠１に挿通された一方のベルトＢ１と係止片１１の間にスペース１８を形成しているので、前記掛止具６の掛止部８を当該スペース１８に差し込んで掛止具６を容易に掛止させることができる。本実施の形態では、図１２に示すように、ベルト用留め具Ａを靴のベルトに取り付けたが、この実施の形態に限定されるものではなく、鞄、衣服、時計等のベルトに用いても構わないのは勿論である。
【産業上の利用可能性】
【００２６】
本発明に係るベルト用留め具は、靴、鞄、衣服、時計等に用いられるベルトに利用可能である。
【符号の説明】
【００２７】
Ａ  ベルト用留め具
Ｂ１  一方のベルト
Ｂ２  他方のベルト
Ｂ３  穴
１  尾錠
２  枠部材
２ａ  第１の空間部（一側）
２ｂ  第２の空間部（他側）
３  連結軸
５  係合軸
５ａ  後部
５ｂ  先部
６  掛止具
７  基部
８  掛止部
８ａ  一端
８ｂ  他端
８ｃ  係合凸部
９  屈曲部
１０  係止体
１１  係止片
１１ａ  先部
１２  規制部（規制片）
１３ａ  軸受け片
１３ｂ  軸受け片
１５  一方側の略半分
１６  他方側の略半分
１６ａ  切れ目
１６ｂ  切れ目
１８  スペース
１９ａ  軸受け部
１９ｂ  軸受け部
【図１】
2012034904.tif 000003
【図２】
2012034904.tif 000004
【図３】
2012034904.tif 000005
【図４】
2012034904.tif 000006
【図５】
2012034904.tif 000007
【図６】
2012034904.tif 000008
【図７】
2012034904.tif 000009
【図８】
2012034904.tif 000010
【図９】
2012034904.tif 000011
【図１０】
2012034904.tif 000012
【図１１】
2012034904.tif 000013
【図１２】
2012034904.tif 000014